(57)【要約】  本発明は、慶弔金としての紙幣などのような内容物が入っている封筒から内容物を分離して自動に受け付けることができる封筒と内容物との分離装置に関するものである。本発明の一実施形態に係る封筒と内容物との分離装置は、内容物が入っている封筒を受け入れる封筒投入口と、前記封筒投入口から入ってきた前記封筒を固定する固定部材を備える内容物分離部と、前記内容物分離部が地面と第１角度、第２角度、及び第３角度をなすことができるように、回転軸を中心として前記内容物分離部を回転させる回転部とを備え、前記第１角度は、前記封筒投入口から前記内容物分離部が前記封筒を受け入れることができる角度であり、前記第２角度は、前記固定部材で前記封筒を固定した状態で前記封筒中の内容物を自重により落とすことができる角度であり、前記第３角度は、前記固定部材の固定を解除したまま前記封筒を落とすことができる角度であることを特徴とする。
2016508649.tif 000002
【特許請求の範囲】
【請求項１】
内容物が入っている封筒を受け入れる封筒投入口と、
前記封筒投入口から入ってきた前記封筒を固定する固定部材を備える内容物分離部と、
前記内容物分離部が地面と第１角度、第２角度、及び第３角度をなすことができるように、回転軸を中心として前記内容物分離部を回転させる回転部と、
を備え、
前記第１角度は、前記封筒投入口から前記内容物分離部が前記封筒を受け入れることができる角度であり、前記第２角度は、前記固定部材で前記封筒を固定した状態で前記封筒中の内容物を自重により落とすことができる角度であり、前記第３角度は、前記固定部材の固定を解除したまま前記封筒を落とすことができる角度であることを特徴とする封筒と内容物との分離装置。
【請求項２】
前記内容物分離部が前記回転部により前記第２角度をなすことにより、前記封筒から分離された内容物を受けて保持する保持部と、
前記保持部の内容物を計数する内容物計数部と、
前記保持部に保持される内容物を振動させて、前記内容物の整列を導く振動部と、
をさらに備えることを特徴とする請求項１に記載の封筒と内容物との分離装置。
【請求項３】
前記振動部は、前記保持部に回転可能なように設けられる回転棒であり、
前記回転棒の回転により前記内容物が打撃されることによって整列されることを特徴とする請求項２に記載の封筒と内容物との分離装置。
【請求項４】
前記振動部は、前記保持部に空気を噴射するエアノズルであることを特徴とする請求項２に記載の封筒と内容物との分離装置。
【請求項５】
前記内容物計数部は、内容物の表面をスキャンする内容物用スキャナ装置であることを特徴とする請求項２に記載の封筒と内容物との分離装置。
【請求項６】
前記内容物分離部が前記第２角度をなすようにした後、前記内容物分離部を一定時間の間、振動させることを特徴とする請求項１に記載の封筒と内容物との分離装置。
【請求項７】
前記内容物計数部を通過した内容物を収納する内容物収納部と、
前記内容物分離部から落ちる封筒を収納する封筒収納部と、
をさらに備え、
前記内容物収納部は、内容物が一定の高さを落下した後に積まれるように高さ調節が可能であることを特徴とする請求項２に記載の封筒と内容物との分離装置。
【請求項８】
前記固定部材は、前記封筒の側部を前記封筒の内側に加圧することにより、前記封筒の入口を開ける部材からなることを特徴とする請求項１に記載の封筒と内容物との分離装置。
【請求項９】
前記固定部材により前記封筒の入口を開け、前記封筒の内側に向かって空気を噴射する空気ノズルをさらに備えることを特徴とする請求項１に記載の封筒と内容物との分離装置。
【請求項１０】
前記内容物は紙幣であり、
前記封筒投入口と前記内容物分離部との間に位置して、投入された封筒の表面をスキャンする封筒用スキャナ装置と、
前記内容物計数部から得られた慶弔金情報と前記封筒用スキャナ装置から得られた人名情報とを保存するメモリ部と、
前記メモリ部に保存された前記慶弔金情報と前記人名情報とを加工処理する制御部と、
をさらに備えることを特徴とする請求項２に記載の封筒と内容物との分離装置。
【請求項１１】
前記内容物計数部は、紙幣の表面をスキャンする紙幣用スキャナ装置であり、
前記制御部は、前記紙幣用スキャナ装置から得られた紙幣のイメージに基づいて前記封筒に入っている紙幣の総額を算出し、該紙幣が入っていた封筒の人名情報と対応付けて、前記メモリ部に保存することを特徴とする請求項１０に記載の封筒と内容物との分離装置。
【発明の詳細な説明】
【技術分野】
【０００１】
本発明は、封筒と内容物との分離装置に関し、より詳細には、慶弔金としての紙幣などのような内容物が入っている封筒から内容物を分離して自動に受け付けることができる封筒と内容物との分離装置に関する。
【背景技術】
【０００２】
一般に、韓国、中国、日本などのような東洋圏国家では、伝統的な行事である結婚と葬礼などの手続きにおいて、訪問する賀客や弔問客が慶弔金を伝達する文化がある。この場合、慶弔金の受付は、一々手作業で行われるのが一般的である。すなわち、賀客や弔問客が慶弔金が含まれた封筒を受付者に伝達してから、芳名録に署名し、行事に参加する。一般的に、慶弔金が含まれた封筒の表面には、賀客や弔問客の氏名が書いてある。受付者は、慶弔金封筒に入った慶弔金の金額と訪問した人の名前を確認した後、別の帳簿に情報を記録することにより、慶弔金に対する受付処理をするのが一般的である。
【０００３】
ところが、上述したように手作業で処理する慶弔金受付処理は、面倒くさいだけでなく、慶弔金の紛失や横領などの問題を生じさせることがある。
【０００４】
近年は、電子技術の発達につれて、信用カードで慶弔金を支払うことができるシステムとか、ユーザが直接自分の名前などの情報を入力した後、現金を機械に受け付けるシステムが開発された。例えば、韓国公開特許第２０１０−００３７３８８のような発明がある。
【０００５】
しかし、公知の慶弔金自動受付処理システムは、賀客や弔問客が直接自分の情報を入力しなければならない不便があり、慶弔金が入った封筒から慶弔金を分離して受け付けなければならないので、煩わしいという問題がある。
【発明の概要】
【発明が解決しようとする課題】
【０００６】
本発明は、上記のような問題を解決するために案出されたものであって、本発明において解決しようとする課題は、慶弔金としての紙幣などのような内容物が入っている封筒から内容物を分離して自動に受け付けることができる封筒と内容物との分離装置を提供することにある。
【０００７】
本発明の課題は、以上で言及した課題等に制限されず、言及されていないさらに他の課題等は、下記の記載から当業者に明確に理解され得るであろう。
【課題を解決するための手段】
【０００８】
上記の課題を解決するための本発明の一実施形態に係る封筒と内容物との分離装置は、内容物が入っている封筒を受け入れる封筒投入口と、前記封筒投入口から入ってきた前記封筒を固定する固定部材を備える内容物分離部と、前記内容物分離部が地面と第１角度、第２角度、及び第３角度をなすことができるように、回転軸を中心として前記内容物分離部を回転させる回転部とを備え、前記第１角度は、前記封筒投入口から前記内容物分離部が前記封筒を受け入れることができる角度であり、前記第２角度は、前記固定部材で前記封筒を固定した状態で前記封筒中の内容物を自重により落とすことができる角度であり、前記第３角度は、前記固定部材の固定を解除したまま前記封筒を落とすことができる角度であることを特徴とする。
【０００９】
また、前記内容物分離部が前記回転部により前記第２角度をなすことにより、前記封筒から分離された内容物を受けて保持する保持部と、前記保持部の内容物を計数する内容物計数部と、前記保持部に保持される内容物を振動させて、前記内容物の整列を導く振動部とをさらに備えることを特徴とする。
【００１０】
また、前記振動部は、前記保持部に回転可能なように設けられる回転棒であり、前記回転棒の回転により前記内容物が打撃されることによって整列されることを特徴とする。
【００１１】
また、前記振動部は、前記保持部に空気を噴射するエアノズルであることを特徴とする。
【００１２】
また、前記内容物計数部は、内容物の表面をスキャンする内容物用スキャナ装置であることを特徴とする。
【００１３】
また、前記内容物分離部が前記第２角度をなすようにした後、前記内容物分離部を一定時間の間、振動させることを特徴とする。
【００１４】
また、前記内容物計数部を通過した内容物を収納する内容物収納部と、前記内容物分離部から落ちる封筒を収納する封筒収納部とをさらに備え、前記内容物収納部は、内容物が一定の高さを落下した後に積まれるように高さ調節が可能であることを特徴とする。
【００１５】
また、前記固定部材は、前記封筒の側部を前記封筒の内側に加圧することにより、前記封筒の入口を開ける部材からなることを特徴とする。
【００１６】
また、前記固定部材により前記封筒の入口を開け、前記封筒の内側に向かって空気を噴射する空気ノズルをさらに備えることを特徴とする。
【００１７】
また、前記内容物は紙幣であり、前記封筒投入口と前記内容物分離部との間に位置して、投入された封筒の表面をスキャンする封筒用スキャナ装置と、前記内容物計数部から得られた慶弔金情報と前記封筒用スキャナ装置から得られた人名情報とを保存するメモリ部と、前記メモリ部に保存された前記慶弔金情報と前記人名情報とを加工処理する制御部とをさらに備えることを特徴とする。
【００１８】
また、前記内容物計数部は、紙幣の表面をスキャンする紙幣用スキャナ装置であり、前記制御部は、前記紙幣用スキャナ装置から得られた紙幣のイメージに基づいて前記封筒に入っている紙幣の総額を算出し、該紙幣が入っていた封筒の人名情報と対応付けて、前記メモリ部に保存することを特徴とする。
【発明の効果】
【００１９】
本発明に係る封筒と紙幣との分離装置は、自動に紙幣と封筒を分離できるので、受付者が個別的に封筒と慶弔金を確認する必要がなく、慶弔金の受付効率を顕著に向上させるという効果を提供する。
【００２０】
また、本発明に係る封筒と内容物との分離装置は、封筒に記載された人名情報を文字で認識して保存し、分離された慶弔金を計数してデータを保存及び処理できるので、慶弔金の受付処理の効率性及びデータの後加工などが顕著に向上される。
【図面の簡単な説明】
【００２１】
【図１】本発明の一実施形態に係る封筒と内容物との分離装置の概略図である。
【図２ａ】図１の内容物分離部の概略的な斜視図である。
【図２ｂ】図１の内容物分離部の概略的な斜視図である。
【図３】図１の保持部の概略的な斜視図である。
【図４】本発明の他の実施形態に係る封筒と内容物との分離装置の概略図である。
【図５】本発明のさらに他の実施形態に係る封筒と内容物との分離装置の概略図である。
【発明を実施するための形態】
【００２２】
本発明の利点及び特徴、そして、それらを達成する方法は、添付される図面とともに詳細に後述されている実施形態を参照すれば、明確になるはずである。しかし、本発明は、以下において開示される実施形態に限定されるものではなく、互いに異なる様々な形で実現されることができ、単に本実施形態は、本発明の開示が完全なようにし、本発明の属する技術分野における通常の知識を有した者に発明の範疇を完全に知らせるために提供されるものであり、本発明は、請求項の範疇により定義されるだけである。
【００２３】
例えば、第１、第２などが種々の構成要素を叙述するために使用されるが、これらの構成要素は、これらの用語により制限されないことはもちろんである。これらの用語らは、単に１つの構成要素を他の構成要素と区別するために使用するものである。したがって、以下において言及される第１構成要素は、本発明の技術的思想内で第２構成要素でありうることはもちろんである。
【００２４】
明細書の全体にわたって同一参照符号は、同一構成要素を表す。
【００２５】
図面において示された各構成の大きさ及び厚さは、説明の便宜のために図示されたものであり、本発明が、図示された構成の大きさ及び厚さに必ずしも限定されるものではない。
【００２６】
本発明の種々の実施形態のそれぞれの特徴が部分的にまたは全体的に互いに結合または組み合わせ可能であり、当業者が十分理解できるように技術的に様々な連動及び駆動が可能であり、各実施形態が相互に対して独立的に実施可能でありうるし、連関関係として共に実施可能でありうる。
【００２７】
以下、添付された図面を参考して本発明に係る封筒と内容物との分離装置について詳しく説明する。
【００２８】
図１は、本発明の一実施形態に係る封筒と内容物との分離装置の概略図であり、図２ａ及び図２ｂは、図１の内容物分離部の概略的な斜視図であり、図３は、図１の保持部の概略的な斜視図である。
【００２９】
参考までに、本発明の封筒と内容物との分離装置の分離対象は、封筒内に入っている内容物であって、内容物には、紙幣などのような貨幣、情報が記載された文書などがありうる。以下では、説明の便宜上、内容物として紙幣を例に挙げて説明するが、内容物は紙幣に限定されるものではない。
【００３０】
図１〜図３に示すように、本発明の一実施形態に係る封筒と内容物との分離装置１００は、封筒投入部１１０と、内容物分離部１２０と、保持部１３０と、内容物計数部１４０と、メモリ部１５０と、制御部１６０と、表示部１７０とを備えて構成される。
【００３１】
封筒投入部１１０は、分離装置１００の外側からユーザが内容物である紙幣２が入った封筒１を分離装置１００内に投入する部分をいう。封筒投入部１１０は、封筒１が機器内に入れるように封筒投入口１１１を備える。一方、封筒投入部１１０には、封筒１の挿入方向が一定に導かれ得るように、案内表示されているのが好ましい。
【００３２】
封筒投入部１１０に封筒が投入されれば、ローラ装置などを用いた移送装置により封筒１は、内容物分離部１２０に移送される。移送途中に封筒１の表面をスキャンできるように封筒用スキャナ装置１８０を備えてもよい。封筒用スキャナ装置１８０は、公知のスキャナ装置で構成されることができ、封筒１のいずれか一面または両面をスキャンすることにより、封筒１に記載されている慶弔金提供者に対する氏名などの人名情報を得ることができる。スキャンされたデータは、後述するメモリ部１５０に保存され得る。一方、封筒用スキャナ装置１８０は、図１のように、封筒投入部１１０と内容物分離部１２０との間に配置されることもできるが、これに局限されるものではなく、封筒１が内容物分離部１２０から分離されて封筒収納部１９１へ移動する経路上に配置されることもできる。
【００３３】
内容物分離部１２０は、封筒投入口１１１から入ってきた封筒１を固定する固定部材１２１を備え、紙幣２を封筒１から分離させる役割を果たす。
【００３４】
図２ａは、封筒１が封筒投入口１１１から内容物分離部１２０に導入されて封筒１の入口が開けられなかった場合を示し、図２ｂは、固定部材１２１を用いて封筒１の入口を開けて封筒１を固定した場合を示す。
【００３５】
図２ａに示すように、封筒１は、内容物分離部１２０のガイド１２２間に導入される。封筒１は、ガイド１２２により据えられて位置するようになり、固定部材１２１は、ガイド１２２とほぼ一面するように位置して封筒１に対して加圧を行わない。
【００３６】
固定部材１２１は、封筒１をその側面から内側に加圧できるようにスライド可能に構成される。参考までに、本実施形態では、固定部材１２１を一側面にのみ設けられるように例示しているが、これに局限されるものではなく、両側面に一対が設けられても関係ない。また、固定部材１２１が封筒１と接触する部位は、弾性変形が可能なゴムのような素材で形成されるのが封筒１の損傷防止のために好ましい。
【００３７】
固定部材１２１が封筒１をその側面から内側に加圧することにより、図２ｂのように、封筒１の入口が開けられる。これとともに、封筒１は、固定部材１２１とガイド１２２とによって内容物分離部１２０に固定されることができる。このとき、図２ｂのように、内容物分離部１２０の底面には開放口をおいて、封筒１の入口が下側にも開けられ得るようにすれば、効果的に封筒１の入口が開放され得る。
【００３８】
一方、固定部材１２１は、上述した構成の他に、種々の他の構成で多様に設定され得る。例えば、固定部材として、封筒１の上下方向に真空圧チューブを位置させて封筒１を固定する構成が採択され得るし、かつ、封筒１の入口にピンを挿入する方式で固定部材を設定することができる。その他にも、内容物である紙幣２を固定しないながら、封筒１を固定できるあらゆる構成が採択され得る。
【００３９】
また、封筒１がしわになるか、毀損されることにより開けられないことを防止するために、固定部材１２１で加圧する前に、または固定部材１２１で加圧すると同時に空気（または圧縮空気）を封筒１の入口の方へ噴射して封筒１の入口がさらに容易に開けられ得るようにするのが好ましい。このような空気の噴射を利用すれば、封筒１の入口が開けられない場合を顕著に減らすことができる。
【００４０】
内容物分離部１２０は、図１のように、一端部に形成された回転軸１２３を中心として回転できるように構成される。本実施形態では、導入された封筒１の入口が回転軸１２３とは反対方向に向かうように設定される。すなわち、図１の本実施形態において、封筒１の入口が右側に向かうように封筒投入口１１１に投入されなければならず、封筒１は、内容物分離部１２０に導入されて、その入口が回転軸１２３と反対方向に向かうように位置されなければならない。
【００４１】
一方、回転軸１２３は、ギヤのような動力伝達手段によってモータのような図示しなかった駆動源に接続されることができる。モータは、一般的なモータを使用することができ、例えば、ステップモータを使用することもできる。
【００４２】
内容物分離部１２０は、回転軸１２３を中心として回転して、地面と第１角度、第２角度、及び第３角度をなすことができる。ここで、第１角度は、封筒投入口１１１から内容物分離部１２０が封筒１を受け入れることができる角度であり、第２角度は、固定部材１２１で封筒１を固定した状態で封筒１中の紙幣２を自重により落とすことができる角度であり、第３角度は、固定部材１２１の固定を解除したまま封筒１を落とすことができる角度を意味する。
【００４３】
まず、第１角度は、図１では実線で図示された内容物分離部１２０が取る位置を表す。第１角度の位置の内容物分離部１２０は、封筒１を図２ａのように導入することができる。
【００４４】
第１角度で内容物分離部１２０が封筒１を受けた後には、図２ｂのように、固定部材１２１で封筒１の側面を押して封筒１の入口を開ける。その後、θ１の分だけ内容物分離部１２０を回転させると、封筒１内の紙幣２が自重により保持部１３０に落ちるようになる。
【００４５】
一方、紙幣２が封筒１の内側に付着されるなどの理由のため、保持部１３０に落下されない異常現象を防止するために、固定部材１２１で封筒１の入口を開けた後、圧縮空気を封筒１の入口に一定時間の間、注入させることが好ましい。これにより、紙幣２が封筒１の内側から分離されない可能性を最大限低めることができる。
【００４６】
また、内容物分離部１２０が第２角度をなすようにした後、内容物分離部１２０を一定時間の間、振動させることにより、紙幣２を封筒１から確実に分離させることが好ましい。
【００４７】
紙幣２を封筒１から分離させて内容物分離部１２０に封筒１のみ残るようになった後には、内容物分離部１２０をθ２の分だけさらに回転させ、開放部材１２１を後退させて封筒１に対する加圧を解除する。これにより、封筒１は、内容物分離部１２０から解除されて落下することになり、落下後には封筒収納部１９１に積まれるようになる。
【００４８】
一方、内容物分離部１２０が第２角度を取ることにより、紙幣２は、図３のような保持部１３０に導入される。保持部１３０は、紙幣２が一定時間保持されながら内容物計数部１４０に導入され得るように一定角度で傾斜しており、内容物計数部１４０に紙幣２が整列されて投入され得るように紙幣２を振動させる振動部を備える。
【００４９】
ここで、振動部とは、紙幣を振動できる全ての構成を意味する。例えば、振動部は、内容物計数部１４０の全体を振動させることができる振動装置でありうるし、かつ、保持部１３０に位置した紙幣２間に空気を噴射するエアノズルでありうる。
【００５０】
図３では、振動部として、保持部１３０の底面側に回転可能なように設けられた回転棒１３１を例示している。回転棒１３１は、両端が回転できるようにその中心部が保持部１３０に回転可能に接続されている。紙幣２が保持部１３０に導入されたまま回転棒１３１が回転される場合、回転棒１３１の端部が紙幣２の中心部を打撃することになるので、複数枚の紙幣２が振動されながら整列され得る。また、保持部１３０に紙幣２が導入されるときには、導入が容易なように、回転棒１３１は保持部１３０の底面と一直線になるように位置して設定することが好ましい。回転棒１３１の回転方向は、紙幣２が内容物計数部１４０の方向へ移動され得るように、図３のような方向を取ることが好ましい。
【００５１】
一方、回転棒１３１は、上述した実施形態に局限されるものではなく、様々な変形実施が可能である。例えば、回転棒１３１は、保持部１３０に底面と向かい合う天井面が備えられた場合に、この天井面にも備えられることができる。また、例えば、回転棒１３１は、図３でのように、一字形であって、２つの端部を有するように形成することができるが、１つの端部または３つ以上の端部を有するように形成することもできる。端部の個数が増えると、単位時間当たりの打撃数が増えるようになるので、回転棒の回転数を減らすことができる。
【００５２】
上述した振動部により紙幣２が整列された後には、内容物計数部１４０により紙幣２が計数される。内容物計数部１４０としては、現金自動預け払い機（ＡＴＭ）などに使用される公知の計数装置が使用され得るし、かつ、紙幣２の表面をスキャンするスキャナ装置が使用されることもできる。
【００５３】
特に、結婚式、葬式などの慶弔金の場合、１万ウォン券、５万ウォン券のような現金の代わりに、各銀行で発行した小切手を出す場合がたくさんあり、小切手の識別のためには、スキャナ装置が使用されるのが好ましい。
【００５４】
計数された紙幣２は、内容物計数部１４０から排出されて内容物収納部１９２に積まれる。内容物収納部１９２には、多量の紙幣２が積まれるようになるが、落下距離が一定でなければ、紙幣２が不規則的に混雑に積まれる可能性が高くなる。したがって、内容物収納部１９２の高低を調節できる装置（図示せず）をさらに備え、紙幣２が一定の高さを落下した後に積まれるようにすることが好ましい。
【００５５】
このように、内容物分離部１２０により封筒１と紙幣２とが分離されて、それぞれ封筒収納部１９１及び内容物収納部１９２に収納されることができる。以下では、封筒用スキャナ装置１８０と内容物計数部１４０とにより得られた情報を処理する装置について詳しく説明する。
【００５６】
封筒用スキャナ装置１８０では、封筒１の表面に記載された人名情報がイメージの形で得られてメモリ部１５０に送られ、かつ、内容物計数部１４０では、封筒１に入っていた慶弔金と関連した情報がメモリ部１５０に送られる。
【００５７】
ここで、内容物計数部１４０から得られる情報は、内容物計数部１４０が公知の計数装置である場合には、金額情報でありうるし、内容物計数部１４０がスキャナ装置である場合には、紙幣２の表面のイメージ情報でありうる。
【００５８】
制御部１６０では、投入イベント毎に一連番号を付与し、一連番号別に対応する慶弔金情報と人名情報とをメモリ部１５０に保存しておく。例えば、１０番目の投入イベントに投入された慶弔金の人名情報として、「ｐｅｏｐｌｅ＿ｉｍａｇｅ１０．ｊｐｇ」であるイメージファイルを保存し、慶弔金情報として、「ｍｏｎｅｙ＿ｉｍａｇｅ１０．ｊｐｇ」であるイメージファイル（内容物計数部１４０としてスキャナ装置が使用された場合）を保存することができる。
【００５９】
また、制御部１６０では、メモリ部１５０に保存された人名情報と慶弔金情報に対するデータ処理などを行う。例えば、制御部１６０は、文字認識を行い、人名情報に対するイメージファイルをテキストファイルに変換することができ、慶弔金情報がイメージファイルの形で保存されている場合、画面認識を行って金額を算出することもできる。
【００６０】
表示部１７０は、分離装置１００の外側に視認可能なように装着されて、ユーザに情報を提供できる装置である。表示部１７０は、一種の表示装置（ｄｉｓｐｌａｙ  ｄｅｖｉｃｅ）であって、例えば、液晶ディスプレイ装置（ＬＣＤ）、有機発光ダイオード装置（ＯＬＥＤ）などの平板ディスプレイ装置（ＴＦＴ  ｄｉｓｐｌａｙ  ｄｅｖｉｃｅ）などが使用され得る。
【００６１】
表示部１７０には、慶弔金の管理者が見られるように人名情報と慶弔金情報とを対応させて表示されることができ、慶弔金の総計が表示され得る。また、賀客達のためには、封筒１の投入方向を案内するか、行事の広報画面などが表示されることもできる。
【００６２】
図４は、本発明の他の実施形態に係る封筒と内容物との分離装置の概略図である。図４に示すように、分離装置２００は、図１の分離装置１００とは異なり、封筒１の入口を先に封筒投入口２１１に投入するように設定したものであって、内容物分離部２２０の方向を図１の分離装置１００と異ならせる。その他の構成は、図１の分離装置１００と同様であるため、相違点を中心として説明する。
【００６３】
内容物分離部２２０の回転軸２２３は、封筒投入口２１１側に位置し、封筒１は、その入口が回転軸２２３の反対側に向かうように、入口を先に封筒投入口２１１に投入する。
【００６４】
内容物分離部２２０は、回転軸２２３として第１角度、第２角度、及び第３角度を形成することができ、第２角度で紙幣２を封筒１から分離し、第３角度で封筒１を紙幣分離部２２０から解除するようになり、具体的な内容は、図１の実施形態と同様である。
【００６５】
図１の分離装置１００と図４の分離装置２００とは、回転軸１２３、２２３の位置をそれぞれ異ならせて、装置内部の空間利用を異ならせる。したがって、装置内部の部品や構造の配置によって回転軸の位置を決定し、適宜適用することができる。
【００６６】
図５は、本発明のさらに他の実施形態に係る封筒と内容物との分離装置の概略図である。図５に示すように、分離装置３００は、図１の分離装置１００と同様な構成を有し、第３角度を図１の分離装置１００と異なるように設定することにより、封筒収納部１９１を除去したことにおいて、図１の分離装置１００の構成と相違がある。
【００６７】
封筒１が分離装置３００の内部に投入されて、内容物分離部３２０が第１角度を形成することにより封筒１を受け入れ、第２角度を形成することにより紙幣２を封筒１から分離することは、図１の分離装置１００と同様である。
【００６８】
その後、図５のように、第１角度において第２角度で設定した方向と反対方向に第３角度を形成することにより、紙幣２は、分離装置３００の外部に放出されることができ、別の封筒収納部を備えなくてもよい。勿論、別の封筒収納部を便宜上備えることを排除するものではない。
【００６９】
上述したような本発明に係る封筒と紙幣との分離装置１００、２００、３００は、自動に内容物である紙幣２と封筒１とを分離することができるので、受付者が個別的に封筒１と慶弔金を確認する必要がなく、慶弔金の受付効率を顕著に向上させる効果を提供する。
【００７０】
また、本発明に係る封筒と紙幣との分離装置１００、２００、３００は、封筒１に記載された人名情報を文字として認識して保存し、分離された慶弔金を計数してデータを保存及び処理できるので、慶弔金の受付処理の効率性及びデータの後加工などが顕著に向上される。
【００７１】
以上、添付された図面を参照して本発明の実施形態を説明したが、本発明の属する技術分野における通常の知識を有した者は、本発明のその技術的思想や必須的な特徴を変更せずに、他の具体的な形態で実施され得るということが理解できるであろう。それ故に、以上で記述した実施形態は、あらゆる面において例示的なものであり、限定的でないものと理解すべきである。
【図１】
2016508649.tif 000003
【図２ａ】
2016508649.tif 000004
【図２ｂ】
2016508649.tif 000005
【図３】
2016508649.tif 000006
【図４】
2016508649.tif 000007
【図５】
2016508649.tif 000008
【国際調査報告】
2016508649.tif 000009
2016508649.tif 000010
2016508649.tif 000011
2016508649.tif 000012